【手続補正書】
【提出日】平成18年2月10日(2006.2.10)
【手続補正１】
【補正対象書類名】特許請求の範囲
【補正対象項目名】全文
【補正方法】変更
【補正の内容】
【特許請求の範囲】
【請求項１】
音声の調和成分のマグニチュード・スペクトル・エンベロープを、声帯振動波形のマグニチュード・スペクトル・エンベロープとレゾナンスと前記調和成分のマグニチュード・スペクトル・エンベロープから前記声帯振動波形のマグニチュード・スペクトル・エンベロープと前記レゾナンスを減算した差分のスペクトル・エンベロープとからなるＥｐＲパラメータに分解して記憶するとともに、前記音声の非調和成分を記憶する記憶手段と、
合成する音声の情報を入力する入力手段と、
前記入力された情報に基づき、前記記憶手段から読み出したＥｐＲパラメータと前記非調和成分とをフラットなマグニチュード・スペクトル・エンベロープに加算する加算手段と
を有する音声合成装置。
【請求項２】
音声を調和成分と非調和成分に分解する第１の分解手段と、
前記調和成分のマグニチュード・スペクトル・エンベロープを、声帯振動波形のマグニチュード・スペクトル・エンベロープとレゾナンスと前記調和成分のマグニチュード・スペクトル・エンベロープから前記声帯振動波形のマグニチュード・スペクトル・エンベロープと前記レゾナンスを減算した差分のスペクトル・エンベロープとからなるＥｐＲパラメータに分解する第２の分解手段と、
前記ＥｐＲパラメータと前記非調和成分とを記憶する記憶手段と
合成する音声の情報を入力する入力手段と、
前記入力された情報に基づき、前記記憶手段から読み出したＥｐＲパラメータと前記非調和成分とをフラットなマグニチュード・スペクトル・エンベロープに加算する加算手段と
を有する音声合成装置。
【請求項３】
前記記憶手段は、音韻ごとに代表的な１フレームのＥｐＲパラメータを保持するＴｉｍｂｅｒＤＢと、音韻ごとに音韻の伸ばした部分のＥｐＲパラメータと非調和成分を保持するＳｔａｔｉｏｎａｒｙＤＢと、音韻の組み合わせごとに音韻の変化する部分のＥｐＲパラメータと非調和成分を保持するＡｒｔｉｃｕｌａｔｉｏｎＤＢとを記憶する請求項１又は２記載の音声合成装置。
【請求項４】
前記記憶手段は、さらに、音の出始め及びリリース部、音程の変わり目の部分のゲイン及びピッチの変化を保持するＮｏｔｅＤＢと、音声のビブラート部のゲイン及びピッチの変化を保持するＶｉｂｒａｔｏＤＢとを記憶する請求項１から３のいずれか１項に記載の音声合成装置。
【請求項５】
前記レゾナンスは、声道フォルマントを表現する複数のレゾナンスと、胸部共鳴を表現するレゾナンスとを含む請求項１から４のいずれか１項に記載の音声合成装置。
【請求項６】
前記記憶手段は、さらに前記ＥｐＲパラメータを音の大きさに従い変化させる関数を記憶し、
前記加算手段は、前記記憶手段から読み出したＥｐＲパラメータを音の大きさの変化に応じて前記関数により変化させる請求項１から５のいずれか１項に記載の音声合成装置。
【請求項７】
前記記憶手段は、さらに前記レゾナンスのアンプリチュードを口の開き方に従い変化させる関数を記憶し、
前記加算手段は、前記記憶手段から読み出したＥｐＲパラメータを口の開き方に応じて前記関数により変化ささせる請求項１から６のいずれか１項に記載の音声合成装置。
【請求項８】
音声の調和成分のマグニチュード・スペクトル・エンベロープを、声帯振動波形のマグニチュード・スペクトル・エンベロープとレゾナンスと前記調和成分のマグニチュード・スペクトル・エンベロープから前記声帯振動波形のマグニチュード・スペクトル・エンベロープと前記レゾナンスを減算した差分のスペクトル・エンベロープとからなるＥｐＲパラメータに分解して記憶するとともに、前記音声の非調和成分を記憶手段に記憶する記憶工程と、
合成する音声の情報を入力する入力工程と、
前記入力された情報に基づき、前記記憶手段から読み出したＥｐＲパラメータと前記非調和成分とをフラットなマグニチュード・スペクトル・エンベロープに加算する加算工程と
を有する音声合成方法。
【請求項９】
音声を調和成分と非調和成分に分解する第１の分解工程と、
前記調和成分のマグニチュード・スペクトル・エンベロープを、声帯振動波形のマグニチュード・スペクトル・エンベロープとレゾナンスと前記調和成分のマグニチュード・スペクトル・エンベロープから前記声帯振動波形のマグニチュード・スペクトル・エンベロープと前記レゾナンスを減算した差分のスペクトル・エンベロープとからなるＥｐＲパラメータに分解する第２の分解工程と、
前記ＥｐＲパラメータと前記非調和成分とを記憶手段に記憶する記憶工程と、
合成する音声の情報を入力する入力工程と、
前記入力された情報に基づき、前記記憶手段から読み出したＥｐＲパラメータと前記非調和成分とをフラットなマグニチュード・スペクトル・エンベロープに加算する加算工程と
を有する音声合成方法。
【請求項１０】
音声の調和成分のマグニチュード・スペクトル・エンベロープを、声帯振動波形のマグニチュード・スペクトル・エンベロープとレゾナンスと前記調和成分のマグニチュード・スペクトル・エンベロープから前記声帯振動波形のマグニチュード・スペクトル・エンベロープと前記レゾナンスを減算した差分のスペクトル・エンベロープとからなるＥｐＲパラメータに分解して記憶するとともに、前記音声の非調和成分を記憶する記憶手段を有するコンピュータに音声合成処理を実行させるためのプログラムであって、
合成する音声の情報を入力する入力手順と、
前記入力された情報に基づき、前記記憶手段から読み出したＥｐＲパラメータと前記非調和成分とをフラットなマグニチュード・スペクトル・エンベロープに加算する加算手順と
を有する音声合成処理をコンピュータに実行させるためのプログラム。
【請求項１１】
音声を調和成分と非調和成分に分解する第１の分解手順と、
前記調和成分のマグニチュード・スペクトル・エンベロープを、声帯振動波形のマグニチュード・スペクトル・エンベロープとレゾナンスと前記調和成分のマグニチュード・スペクトル・エンベロープから前記声帯振動波形のマグニチュード・スペクトル・エンベロープと前記レゾナンスを減算した差分のスペクトル・エンベロープとからなるＥｐＲパラメータに分解する第２の分解手順と、
前記ＥｐＲパラメータと前記非調和成分とを記憶手段に記憶する記憶手順と、
合成する音声の情報を入力する入力手順と、
前記入力された情報に基づき、前記記憶手段から読み出したＥｐＲパラメータと前記非調和成分とをフラットなマグニチュード・スペクトル・エンベロープに加算する加算手順と
を有する音声合成処理をコンピュータに実行させるためのプログラム。
【手続補正２】
【補正対象書類名】明細書
【補正対象項目名】０００７
【補正方法】変更
【補正の内容】
【０００７】
本発明の一観点によれば、音声合成装置は、音声の調和成分のマグニチュード・スペクトル・エンベロープを、声帯振動波形のマグニチュード・スペクトル・エンベロープとレゾナンスと前記調和成分のマグニチュード・スペクトル・エンベロープから前記声帯振動波形のマグニチュード・スペクトル・エンベロープと前記レゾナンスを減算した差分のスペクトル・エンベロープとからなるＥｐＲパラメータに分解して記憶するとともに、前記音声の非調和成分を記憶する記憶手段と、合成する音声の情報を入力する入力手段と、前記入力された情報に基づき、前記記憶手段から読み出したＥｐＲパラメータと前記非調和成分とをフラットなマグニチュード・スペクトル・エンベロープに加算する加算手段とを有する。
【手続補正３】
【補正対象書類名】明細書
【補正対象項目名】０００８
【補正方法】変更
【補正の内容】
【０００８】
本発明の他の観点によれば、音声合成装置は、音声を調和成分と非調和成分に分解する第１の分解手段と、前記調和成分のマグニチュード・スペクトル・エンベロープを、声帯振動波形のマグニチュード・スペクトル・エンベロープとレゾナンスと前記調和成分のマグニチュード・スペクトル・エンベロープから前記声帯振動波形のマグニチュード・スペクトル・エンベロープと前記レゾナンスを減算した差分のスペクトル・エンベロープとからなるＥｐＲパラメータに分解する第２の分解手段と、前記ＥｐＲパラメータと前記非調和成分とを記憶する記憶手段と、合成する音声の情報を入力する入力手段と、前記入力された情報に基づき、前記記憶手段から読み出したＥｐＲパラメータと前記非調和成分とをフラットなマグニチュード・スペクトル・エンベロープに加算する加算手段とを有する。